(57)【特許請求の範囲】
【請求項１】
光透過性基材の一主面に凹凸パターンを形成したテンプレートを、被加工基板上の光硬化性材料に押し付けると共に、前記テンプレートを介して前記光硬化性材料を感光させる光を照射することによって、前記光硬化性材料を光硬化させて前記凹凸パターンを転写するインプリントに用いるテンプレートの位置合わせマークであって、
前記位置合わせマークが、前記光透過性基材を掘り込んで形成した凹凸パターン部と、前記凹凸パターン部の前記光透過性基材上に形成された遮光膜パターン部とからなり、  前記遮光膜パターン部が遮光膜と該遮光膜上に設けた耐洗浄性保護膜との２層膜で構成されており、
前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されていないことを特徴とするテンプレートの位置合わせマーク。
【請求項２】
光透過性基材の一主面に凹凸パターンを形成したテンプレートを、被加工基板上の光硬化性材料に押し付けると共に、前記テンプレートを介して前記光硬化性材料を感光させる光を照射することによって、前記光硬化性材料を光硬化させて前記凹凸パターンを転写するインプリントに用いるテンプレートの位置合わせマークであって、
前記位置合わせマークが、前記光透過性基材を掘り込んで形成した凹凸パターン部と、前記凹凸パターン部の前記光透過性基材上に形成された遮光膜パターン部とからなり、  前記遮光膜パターン部が遮光膜と該遮光膜上に設けた耐洗浄性保護膜との２層膜で構成されており、
前記テンプレートの前記凹凸パターンのすべての凹部にも前記耐洗浄性保護膜が形成されていることを特徴とするテンプレートの位置合わせマーク。
【請求項３】
前記位置合わせマークの前記凹凸パターン部の凹部にも前記耐洗浄性保護膜が形成されていることを特徴とする請求項１に記載のテンプレートの位置合わせマーク。
【請求項４】
前記遮光膜がクロム系薄膜であり、前記耐洗浄性保護膜がシリコン系薄膜であることを特徴とする請求項１から請求項３までのうちのいずれか１項に記載のテンプレートの位置合わせマーク。
【請求項５】
前記クロム系薄膜が窒化クロム膜であり、前記シリコン系薄膜が窒化シリコン膜であることを特徴とする請求項４に記載のテンプレートの位置合わせマーク。
【請求項６】
前記耐洗浄性保護膜の耐洗浄性が、前記テンプレートを加熱した状態で酸素ガスを用いてアッシングして洗浄したとき、前記耐洗浄性保護膜の膜厚減少率が初期膜厚の１０％以内であることを特徴とする請求項１から請求項５までのうちのいずれか１項に記載のテンプレートの位置合わせマーク。
【請求項７】
請求項１から請求項６までのうちのいずれか１項に記載の位置合わせマークを備えたことを特徴とするテンプレート。
【請求項８】
前記テンプレートの前記凹凸パターンのすべての凹部にも前記耐洗浄性保護膜が形成されていることを特徴とする請求項７に記載のテンプレート。
【請求項９】
位置合わせマークを備えたテンプレートの製造方法であって、
光透過性基材の一主面上に遮光膜を形成する工程と、
前記遮光膜上に第１のレジストパターンを形成し、該第１のレジストパターンをマスクにして前記遮光膜、前記光透過性基材を順にエッチングして凹凸パターンを形成する工程と、
前記第１のレジストパターンを剥離した後、前記光透過性基材の一主面全面に耐洗浄性保護膜を成膜する工程と、
前記耐洗浄性保護膜上に第２のレジストパターンを形成し、該第２のレジストパターンをマスクにして不要となる前記遮光膜、前記光透過性基材をエッチングして除去する工程と、
前記第２のレジストパターンを剥離する工程と、を含み、
前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成され、前記位置合わせマークの前記凹凸パターン部の凹部にも前記耐洗浄性保護膜が形成されていることを特徴とするテンプレートの製造方法。
【請求項１０】
位置合わせマークを備えたテンプレートの製造方法であって、
光透過性基材の一主面上に遮光膜を形成する工程と、
前記遮光膜上に耐洗浄性保護膜を形成する工程と、
前記耐洗浄性保護膜上に第１のレジストパターンを形成し、該第１のレジストパターンをマスクにして、前記耐洗浄性保護膜、前記遮光膜、前記光透過性基材を順にエッチングして凹凸パターンを形成する工程と、
前記第１のレジストパターンを剥離した後、前記位置合わせマーク用の第２のレジストパターンを形成し、該第２のレジストパターンをマスクにして、不要となる前記耐洗浄性保護膜および前記遮光膜をエッチングして除去する工程と、
前記第２のレジストパターンを剥離する工程と、を含み、
前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成されており、
前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されていないことを特徴とするテンプレートの製造方法。
【請求項１１】
位置合わせマークを備えたテンプレートの製造方法であって、
光透過性基材の一主面上に遮光膜を形成する工程と、
前記遮光膜上に第１のレジストパターンを形成し、該第１のレジストパターンをマスクにして前記遮光膜、前記光透過性基材を順にエッチングして凹凸パターンを形成する工程と、
前記第１のレジストパターンを剥離した後、前記光透過性基材の一主面全面に耐洗浄性保護膜を成膜する工程と、
前記耐洗浄性保護膜上に前記位置合わせマーク用の第２のレジストパターンを形成し、該第２のレジストパターンをマスクにして不要となる前記遮光膜、前記光透過性基材をエッチングして除去する工程と、
前記第２のレジストパターンを剥離する工程と、を含み、
前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成されており、
前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されておらず、前記位置合わせマークの前記凹凸パターン部の凹部にも前記耐洗浄性保護膜が形成されていることを特徴とするテンプレートの製造方法。
【請求項１２】
位置合わせマークを備えたテンプレートの製造方法であって、
光透過性基材の一主面上に遮光膜を形成する工程と、
前記遮光膜上に第１のレジストパターンを形成し、該第１のレジストパターンをマスクにして前記遮光膜、前記光透過性基材を順にエッチングして凹凸パターンを形成する工程と、
前記第１のレジストパターンを剥離した後、前記光透過性基材の一主面全面に耐洗浄性保護膜を成膜する工程と、
前記耐洗浄性保護膜上に前記位置合わせマーク用および主パターン用の第２のレジストパターンを形成し、該第２のレジストパターンをマスクにして不要となる前記遮光膜、前記光透過性基材をエッチングして除去する工程と、
前記第２のレジストパターンを剥離する工程と、を含み、
前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成されており、
前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されておらず、
前記テンプレートの前記凹凸パターンのすべての凹部にも前記耐洗浄性保護膜が形成されていることを特徴とするテンプレートの製造方法。
【発明の詳細な説明】
【技術分野】
【０００１】
本発明は、微細な凹凸パターンを形成するインプリント方法に用いるテンプレートの位置合わせマーク、該位置合わせマークを備えたテンプレートおよびその製造方法に関する。
【背景技術】
【０００２】
近年、特に半導体デバイスにおいては、微細化の一層の進展により高速動作、低消費電力動作が求められ、また、システムＬＳＩという名で呼ばれる機能の統合化などの高い技術が求められている。このような中、半導体デバイスのパターンを作製する要となるリソグラフィ技術は、パターンの微細化が進むにつれ、露光装置などが極めて高価になってきており、また、それに用いるマスク価格も高価になっている。
【０００３】
これに対して、１９９５年Ｐｒｉｎｃｅｔｏｎ大学のＣｈｏｕらによって提案されたインプリント法は、装置価格や使用材料などが安価でありながら、１０ｎｍ程度の高解像度を有する微細パターン形成技術として注目されている（特許文献１参照）。
【０００４】
インプリント法は、予め表面にナノメートルサイズの凹凸パターンを形成したテンプレート（モールド、スタンパ、金型とも呼ばれる)を、被加工基板表面に塗布形成された樹脂（本発明ではレジストとも言う）に押し付けて力学的に変形させて微細パターンを精密に転写し、パターン形成された樹脂をレジストマスクとして被加工基板を加工する技術である。一度テンプレートを作製すれば、ナノ構造が簡単に繰り返して成型できるため高いスループットが得られて経済的であるとともに、有害な廃棄物が少ないナノ加工技術であるため、近年、半導体デバイスに限らず、さまざまな分野への応用が期待されている。
【０００５】
このようなインプリント法には、熱可塑性樹脂を用いて熱により凹凸パターンを転写する熱インプリント法や、光硬化性樹脂を用いて紫外線により凹凸パターンを転写する光インプリント法（例えば、特許文献２参照）などが知られている。転写材料である樹脂としては、熱インプリント法では熱可塑性樹脂、光インプリント法では光硬化性樹脂が用いられる。光インプリント法は、室温で低い印加圧力でパターン転写でき、熱インプリント法のような加熱・冷却サイクルが不要でテンプレートや樹脂の熱による寸法変化が生じないために、解像性、アライメント精度、生産性などの点で優れていると言われている。
【０００６】
インプリント法で用いられるテンプレートには、パターン寸法の安定性、耐薬品性、加工特性などが求められる。インプリント法においては、テンプレートのパターン形状を忠実に転写材料である樹脂に転写しなければならないので、光インプリント法の場合を例に取ると、一般的には光硬化に用いる紫外線を透過する石英ガラスがテンプレートに用いられている。
【０００７】
半導体デバイスなどの製造プロセスにおける露光工程では、素子パターンの微細化に伴い、下層の素子パターンに上層の素子パターンを重ね合わせる位置合わせ（アライメント）の精度を高めることが要求されている。アライメントは、被加工基板であるウェハ上に既に形成されているパターンレイヤーの配列状態を計測し、露光を行おうとするパターンレイヤーのショット位置を、ウェハ上のパターンレイヤーの配列状態に合わせることにより行われる。このようなアライメントを可能とするために、ウェハ上のパターンレイヤーに属する各ショットにはウェハアライメントマークが形成されている。
【０００８】
アライメント方法としては、ダイバイダイアライメントとグローバルアライメントがある。ダイバイダイアライメントは、ウェハ上に既に形成されている特定のパターンレイヤーに属するショットごとに、露光を行おうとするショットのアライメントを行う手法である。すなわち、露光を行おうとするショットに対応する特定パターンレイヤーのショットに形成されているアライメントマークを検出し、その座標を計測する。その計測結果に基づいて、露光を行おうとするショットのウェハ上の位置を決定する手法である。あるいはショット毎に形成されているアライメントマークと、テンプレート上に形成されているアライメントマークを同時に検出することによりずれを検知し、そのずれが最小になるように露光位置を決定する手法である。一方、グローバルアライメントは、ウェハ上に既に形成されている特定のパターンレイヤーに属する全ショットの中から選択された複数個の特定ショットのアライメントマークを検出し、アライメントマークの配列状態に基づいて露光位置を決定するアライメント手法である。上記のように、原理的にはダイバイダイアライメントの方が各ショット毎にアライメントを行うために、各ショットのアライメント精度が高いが、多くの場合は多数ショットするのでトータルのアライメント時間が長くなる。
【０００９】
インプリント法においては、グローバルアライメントではアライメント計測後各ショットのインプリント時テンプレートに力がかかるためテンプレート位置を高精度に保持することが難しく技術的な課題をクリアできていない。このため通常、ダイバイダイアライメントが用いられており、テンプレート上には、転写すべき主パターンとともに位置合わせ用のテンプレート位置合わせマーク（アライメントマーク）が設けられている。
【００１０】
インプリント工程での被加工基板（ウェハ）との位置合わせ工程においては、基板とテンプレートの間に樹脂を充填した状態でアライメントが行われる場合がある（インリキッドアライメントと称する。）。半導体製造工程においてはショット間のスペース（スクライブ部と呼ぶ）があるが、アライメントマークはこのスクライブ部に形成する必要がある。またこのスクライブ部は過度に加工されることを防ぐことが必要でありレジストで保護されるようにすることが必要である。特にこの場合などは上記インリキッドアライメントが必要となる。この状態で位置合わせを行う場合、例えば、石英ガラスなどの光透過性のあるテンプレートに位置合わせマークを形成し、テンプレートを介して基板上に形成された基板アライメントマークを観察する方法で行われる。しかし、テンプレートに石英ガラスを掘り込んで凹凸部とした位置合わせマークが形成されていても、基板とテンプレートの間に樹脂が存在し凹部に樹脂が入り込んだ場合には、アライメントする可視光領域において、テンプレートの石英ガラスと樹脂との屈折率差がほとんど無いために、凹凸部からなる位置合わせマークの検出が困難になり、アライメントができなくなるという問題があった。
【００１１】
上記の問題をさらに詳しく説明する。図７は、石英ガラス掘り込み型のテンプレート位置合わせマーク７３または８３を有するテンプレート７０または８０を用いてウェハ７５上のウェハアライメントマーク７６と位置合わせする場合の例である。図７において、図７（ａ）は、ウェハ７５上に樹脂が無い場合であり、アライメントは可能（○）である。図７（ｂ）は、ウェハ７５上に樹脂７７が形成されているがウェハアライメントマーク７６は樹脂で覆われていない場合であり、アライメントは可能（○）である。図７（ｃ）は、ウェハ７５上に樹脂７７が形成され位置合わせマーク７６が樹脂７７で覆われ、テンプレート位置合わせマーク７３の凹部には樹脂７７が充填されており、凹部が検出されずアライメントはできない（×）。上記の図７（ｃ）に示すように、インリキッドアライメントが必要な場合には、石英ガラス掘り込みだけでは位置合わせマークとして機能しない。
【００１２】
そこで、位置合わせマークにコントラストを持たせる必要がある。クロムなどの遮光膜を位置合わせマークに用いた例はよく知られている（例えば、特許文献３参照。）。図７（ｄ）に示すように、ウェハ７５上に樹脂７７が形成され、位置合わせマーク７６が樹脂７７で覆われているが、テンプレート８０の位置合わせマーク８３が石英ガラス掘り込み型であっても、凹凸部のマークの周囲にクロム薄膜などの遮光膜が設けられたコントラストの高いハイコントラストの位置合わせマーク８３である場合には、アライメントは十分に可能（○）となる。
【００１３】
したがって、図７（ｄ）に示す従来の位置合わせマーク８３は、高精度の位置合わせに望ましいマークとされていた。図８は、図７（ｄ）に示した従来のハイコントラストのアライメントマークの形成工程を示す断面模式図である。位置合わせマーク８３は、石英ガラス８１の一主面上にクロムなどの遮光性薄膜８４を成膜し（図８（ａ））、レジストパターン８８を形成し（図８（ｂ））、遮光性薄膜８４をエッチングし、次いで石英ガラス８１をエッチングして、主パターン部と位置合わせマーク部を設け（図８（ｃ））、レジストパターン８８を剥離後、２回目のレジストパターン８９を形成し（図８（ｄ））、位置合わせマーク部以外の遮光性薄膜８４をエッチングして除去し（図８（ｅ））、２回目のレジストパターン８９を剥離して、位置合わせマーク８３を有するテンプレート８０を形成する（図８（ｆ））。
【００１４】
しかしながら、上記のクロム薄膜などの遮光膜で形成された従来の位置合わせマークは、コントラストは高いものの、テンプレートの洗浄工程における洗浄耐性が不十分であり、テンプレート洗浄時に遮光膜が膜減りして遮光膜濃度が低下したり、あるいは消失してしまい、位置合わせマークとしての機能が果たせなくなるという問題が生じていた。
【００１５】
テンプレートの洗浄は、有機物である樹脂残渣が主対象であるので、通常、ウェット洗浄の場合には、ＳＰＭ（硫酸と過酸化水素水の混合液）洗浄などが用いられ、ドライ洗浄の場合には、平行平板型あるいは円筒型のプラズマアッシング装置を用いて、酸素ガス、オゾンガスなどが使用される。
【００１６】
図９は、インプリント法において、インプリント後にテンプレートを剥離したとき、テンプレートの主パターン側に樹脂がレジスト残りとなり、一方、転写パターン側にはパターン脱落欠陥が生じてしまう状態を示す説明図である。図９（ａ）に示すように、テンプレート８０の位置合わせマーク８３とウェハ７５上のアライメントマー７６クとを位置合わせし、テンプレート８０を樹脂７７に押し付けてパターン転写する。次いで、図９（ｂ）に示すように、テンプレート８０を剥離するが、樹脂がテンプレートの主パターン８２側に残ってしまい樹脂残り９２となり、一方、ウェハ７５上の転写パターン９１には欠陥（プラグ欠陥と言う）９３が生じてしまうことがあった。
【００１７】
そのため、インプリント法においては、テンプレートの洗浄工程はテンプレートを初期の清浄な状態にリセットし、高品質のパターンを形成するために必須の工程であり、洗浄耐性に優れたコントラストの高い位置合わせマークが求められていた。
【先行技術文献】
【特許文献】
【００１８】
【特許文献１】特表２００４−５０４７１８号公報
【特許文献２】特開２００２−９３７４８号公報
【特許文献３】特開２０００−３２３４６１号公報
【発明の概要】
【発明が解決しようとする課題】
【００１９】
そこで、本発明は、上記の問題点に鑑みてなされたものである。すなわち、本発明の目的は、インプリント用テンプレートに設ける洗浄耐性に優れコントラストの高い位置合わせマーク、該位置合わせマークを備えたテンプレートおよびその製造方法を提供することである。
【課題を解決するための手段】
【００２０】
上記の課題を解決するために、本発明の請求項１に記載の発明に係るテンプレートの位置合わせマークは、光透過性基材の一主面に凹凸パターンを形成したテンプレートを、被加工基板上の光硬化性材料に押し付けると共に、前記テンプレートを介して前記光硬化性材料を感光させる光を照射することによって、前記光硬化性材料を光硬化させて前記凹凸パターンを転写するインプリントに用いるテンプレートの位置合わせマークであって、前記位置合わせマークが、前記光透過性基材を掘り込んで形成した凹凸パターン部と、前記凹凸パターン部の前記光透過性基材上に形成された遮光膜パターン部とからなり、  前記遮光膜パターン部が遮光膜と該遮光膜上に設けた耐洗浄性保護膜との２層膜で構成されており、前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されていないことを特徴とするものである。
【００２１】
本発明の請求項２に記載の発明に係るテンプレートの位置合わせマークは、光透過性基材の一主面に凹凸パターンを形成したテンプレートを、被加工基板上の光硬化性材料に押し付けると共に、前記テンプレートを介して前記光硬化性材料を感光させる光を照射することによって、前記光硬化性材料を光硬化させて前記凹凸パターンを転写するインプリントに用いるテンプレートの位置合わせマークであって、前記位置合わせマークが、前記光透過性基材を掘り込んで形成した凹凸パターン部と、前記凹凸パターン部の前記光透過性基材上に形成された遮光膜パターン部とからなり、  前記遮光膜パターン部が遮光膜と該遮光膜上に設けた耐洗浄性保護膜との２層膜で構成されており、前記テンプレートの前記凹凸パターンのすべての凹部にも前記耐洗浄性保護膜が形成されていることを特徴とするものである。
【００２２】
本発明の請求項３に記載の発明に係るテンプレートの位置合わせマークは、請求項１に記載のテンプレートの位置合わせマークにおいて、前記位置合わせマークの前記凹凸パターン部の凹部にも前記耐洗浄性保護膜が形成されていることを特徴とするものである。
【００２３】
本発明の請求項４に記載の発明に係るテンプレートの位置合わせマークは、請求項１から請求項３までのうちのいずれか１項に記載のテンプレートの位置合わせマークにおいて、前記遮光膜がクロム系薄膜であり、前記耐洗浄性保護膜がシリコン系薄膜であることを特徴とするものである。
【００２４】
本発明の請求項５に記載の発明に係るテンプレートの位置合わせマークは、請求項４に記載のテンプレートの位置合わせマークにおいて、前記クロム系薄膜が窒化クロム膜であり、前記シリコン系薄膜が窒化シリコン膜であることを特徴とするものである。
【００２５】
本発明の請求項６に記載の発明に係るテンプレートの位置合わせマークは、請求項１から請求項５までのうちのいずれか１項に記載のテンプレートの位置合わせマークにおいて、前記耐洗浄性保護膜の耐洗浄性が、前記テンプレートを加熱した状態で酸素ガスを用いてアッシングして洗浄したとき、前記耐洗浄性保護膜の膜厚減少率が初期膜厚の１０％以内であることを特徴とするものである。
【００２６】
本発明の請求項７に記載の発明に係るテンプレートは、請求項１から請求項６までのうちのいずれか１項に記載の位置合わせマークを備えたことを特徴とするものである。
【００２７】
本発明の請求項８に記載の発明に係るテンプレートは、請求項７に記載のテンプレートの位置合わせマークにおいて、前記テンプレートの前記凹凸パターンのすべての凹部にも前記耐洗浄性保護膜が形成されていることを特徴とするものである。
本発明の請求項９に記載の発明に係るテンプレートの製造方法は、位置合わせマークを備えたテンプレートの製造方法であって、光透過性基材の一主面上に遮光膜を形成する工程と、前記遮光膜上に第１のレジストパターンを形成し、該第１のレジストパターンをマスクにして前記遮光膜、前記光透過性基材を順にエッチングして凹凸パターンを形成する工程と、前記第１のレジストパターンを剥離した後、前記光透過性基材の一主面全面に耐洗浄性保護膜を成膜する工程と、前記耐洗浄性保護膜上に第２のレジストパターンを形成し、該第２のレジストパターンをマスクにして不要となる前記遮光膜、前記光透過性基材をエッチングして除去する工程と、前記第２のレジストパターンを剥離する工程と、を含み、前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成され、前記位置合わせマークの前記凹凸パターン部の凹部にも前記耐洗浄性保護膜が形成されていることを特徴とするものである。
本発明の請求項１０に記載の発明に係るテンプレートの製造方法は、位置合わせマークを備えたテンプレートの製造方法であって、光透過性基材の一主面上に遮光膜を形成する工程と、前記遮光膜上に耐洗浄性保護膜を形成する工程と、前記耐洗浄性保護膜上に第１のレジストパターンを形成し、該第１のレジストパターンをマスクにして、前記耐洗浄性保護膜、前記遮光膜、前記光透過性基材を順にエッチングして凹凸パターンを形成する工程と、
前記第１のレジストパターンを剥離した後、前記位置合わせマーク用の第２のレジストパターンを形成し、該第２のレジストパターンをマスクにして、不要となる前記耐洗浄性保護膜および前記遮光膜をエッチングして除去する工程と、前記第２のレジストパターンを剥離する工程と、を含み、前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成されており、前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されていないことを特徴とするものである。
本発明の請求項１１に記載の発明に係るテンプレートの製造方法は、位置合わせマークを備えたテンプレートの製造方法であって、光透過性基材の一主面上に遮光膜を形成する工程と、前記遮光膜上に第１のレジストパターンを形成し、該第１のレジストパターンをマスクにして前記遮光膜、前記光透過性基材を順にエッチングして凹凸パターンを形成する工程と、前記第１のレジストパターンを剥離した後、前記光透過性基材の一主面全面に耐洗浄性保護膜を成膜する工程と、前記耐洗浄性保護膜上に前記位置合わせマーク用の第２のレジストパターンを形成し、該第２のレジストパターンをマスクにして不要となる前記遮光膜、前記光透過性基材をエッチングして除去する工程と、前記第２のレジストパターンを剥離する工程と、を含み、前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成されており、前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されておらず、前記位置合わせマークの前記凹凸パターン部の凹部にも前記耐洗浄性保護膜が形成されていることを特徴とするものである。
本発明の請求項１２に記載の発明に係るテンプレートの製造方法は、位置合わせマークを備えたテンプレートの製造方法であって、光透過性基材の一主面上に遮光膜を形成する工程と、前記遮光膜上に第１のレジストパターンを形成し、該第１のレジストパターンをマスクにして前記遮光膜、前記光透過性基材を順にエッチングして凹凸パターンを形成する工程と、前記第１のレジストパターンを剥離した後、前記光透過性基材の一主面全面に耐洗浄性保護膜を成膜する工程と、前記耐洗浄性保護膜上に前記位置合わせマーク用および主パターン用の第２のレジストパターンを形成し、該第２のレジストパターンをマスクにして不要となる前記遮光膜、前記光透過性基材をエッチングして除去する工程と、前記第２のレジストパターンを剥離する工程と、を含み、前記位置合わせマークが、前記光透過性基材をエッチングして形成した凹凸パターン部と、前記凹凸パターン部の前記光透過性基材上に形成された遮光膜パターン部とからなり、前記遮光膜パターン部が遮光膜と該遮光膜上に設けた耐洗浄性保護膜との２層膜で構成されており、前記遮光膜パターン部が、前記位置合わせマークを構成する前記凹凸パターン部の凸部の上に存在し、前記位置合わせマークを構成する前記凹凸パターン部の凹部には、前記遮光膜パターン部を構成する前記遮光膜が形成されておらず、前記テンプレートの前記凹凸パターンのすべての凹部にも前記耐洗浄性保護膜が形成されていることを特徴とするものである。
【発明の効果】
【００２８】
本発明のテンプレートの位置合わせマークによれば、インリキッドアライメントにおいても十分にコントラストが高く高精度の位置合わせが可能であり、インプリント用テンプレートの洗浄時に洗浄耐性に優れた位置合わせマークが得られる。
【００２９】
本発明のテンプレートによれば、位置合わせマークの遮光膜パターン部が遮光膜と耐洗浄性保護膜の２層膜で構成され、テンプレート洗浄時に遮光膜が保護されるので、テンプレートの品質を保持しながら高精度の位置合わせを行うことが可能となる。
【００３０】
本発明のテンプレートの製造方法によれば、コントラストが高く高精度の位置合わせマークを有し、洗浄時の洗浄耐性に優れたテンプレートを作製することが可能となる。
【図面の簡単な説明】
【００３１】
【図１】本発明の第１の実施形態におけるインプリント用位置合わせマークを有するテンプレートの断面模式図である。
【図２】本発明の第２の実施形態におけるインプリント用位置合わせマークを有するテンプレートの断面模式図である。
【図３】本発明の第３の実施形態におけるインプリント用位置合わせマークを有するテンプレートの断面模式図である。
【図４】図１の本発明の第１の実施形態におけるインプリント用位置合わせマークを有するテンプレートの製造工程を示す断面模式図である。
【図５】図２の本発明の第２の実施形態におけるインプリント用位置合わせマークを有するテンプレートの製造工程を示す断面模式図である。
【図６】図３の本発明の第３の実施形態におけるインプリント用位置合わせマークを有するテンプレートの製造工程を示す断面模式図である。
【図７】石英ガラス掘り込み型の位置合わせマークを有するテンプレートを用い、ウェハ上のウェハアライメントマークと位置合わせする場合の例示である。
【図８】従来のインプリント用位置合わせマークを有するテンプレートの製造工程を示す断面模式図である。
【図９】本発明に係るインプリント法における課題を示す説明図である。
【発明を実施するための形態】
【００３２】
以下、図面に基づいて、本発明の実施形態に係るインプリント用位置合わせマーク、該位置合わせマークを備えたテンプレートおよびその製造方法について詳細に説明する。
【００３３】
（第１の実施形態）
図１は、本発明の第１の実施形態におけるインプリント用位置合わせマークを有するテンプレートの断面模式図である。図１において、インプリント用テンプレート１０は、光透過性基材１１の一主面を掘り込んで形成した凹凸パターンからなる被加工基板上の光硬化性材料に転写するための主パターン１２と、位置合わせマーク１３とから構成される。位置合わせマーク１３は、光透過性基材１１を掘り込んで形成した凹凸パターン部と、この凹凸パターン部の光透過性基材１１上に形成された遮光膜パターン１６とからなり、遮光膜パターン１６が遮光膜１４と遮光膜１４上に設けた耐洗浄性保護膜１５との２層膜で構成されているものである。本発明において主パターンとは、被加工基板表面に塗布形成された光硬化性材料に押し付けて力学的に変形させて転写する凹凸の微細パターンを意味するものである。また、本発明において、光硬化性材料とは、通常光インプリント用材料として用いられている光硬化性樹脂、およびインクジェット方式の塗布で用いられる重合性単量体を含む光硬化性組成物を意味するものである。
【００３４】
本発明において、光透過性基材１１を構成する材料としては、光学研磨された合成石英ガラス、ソーダガラス、蛍石、フッ化カルシウムなどが挙げられるが、合成石英ガラスは、フォトマスク用基板としての使用実績が高く品質が安定しており、凹凸パターンを設けることにより一体化した光透過性の構造とすることができ、高精度の微細な凹凸パターンを形成できるので、より好ましい。
【００３５】
本発明においては、遮光膜パターン１６は遮光膜１４と遮光膜１４上に設けた耐洗浄性保護膜１５との２層膜で構成されているが、遮光膜パターン１６を構成する遮光膜１４としては、可視光のアライメント光に対して所定の光学濃度があり、微細パターン形成に優れているクロム系膜、タンタルなどを真空成膜した薄膜材料が用いられる。それらの材料の中で、フォトマスクで最も使用実績のあるクロムを主成分としたクロム系膜がテンプレートのコスト、品質上からより好ましい。クロム系膜は、通常、クロム(Ｃｒ)、酸化クロム(ＣｒＯ)、窒化クロム(ＣｒＮ)、酸化窒化クロム(ＣｒＯＮ)などの中から選ばれる材料が用いられる。パターン形成における解像力を高めるために遮光膜自体は単層膜を用いるのが好ましい。本発明において、遮光膜１４は光透過性基材１１をエッチングして凹凸部を形成するときのマスク材としての機能も有する。
【００３６】
上記のクロム系材料の中でも、成膜が容易で汎用性の高いクロム膜、あるいは窒化クロム膜が好ましく、さらには微細パターン形成のために膜応力の低減が容易な窒化クロム膜がより好ましい。例えば、窒化クロム膜を遮光膜とした場合には、遮光膜は５ｎｍ〜１０ｎｍ程度の範囲の膜厚で用いられる。膜厚が５ｎｍ未満では位置合わせにおいて濃度不足で識別が困難となるおそれがあり、１０ｎｍを超えるとエッチング加工マスクとして微細パターン形成に好ましくないからである。位置合わせのアライメント光は、通常、波長６３３ｎｍなどの可視光が用いられる。
【００３７】
本発明において、遮光膜パターン１６を構成する耐洗浄性保護膜１５としては、ＳＰＭ（硫酸と過酸化水素水の混合液）洗浄などのウェット洗浄に対して耐性があり、酸素ガス、オゾンガスなどのドライ洗浄耐性が大きい薄膜材料が用いられる。それらの材料の中で、シリコン系膜が耐洗浄性に優れ微細パターン形成が容易で、洗浄時において下層のクロム系膜を保護するのに好ましい。シリコン系膜は、真空成膜によるシリコン（無定形；ａ−Ｓｉ）、酸化シリコン（ＳｉＯ）、窒化シリコン（ＳｉＮ）、酸化窒化シリコン（ＳｉＯＮ）、炭化シリコン（ＳｉＣ）、モリブデンシリサイド（ＭｏＳｉ）、タンタルシリサイド（ＴａＳｉ）、タングステンシリサイド（ＷＳｉ）などの薄膜の中から選ばれる材料が用いられる。パターン形成における解像力を高めるために、耐洗浄性保護膜自体は単層膜を用いるのが好ましい。
【００３８】
上記のシリコン系材料の中でも、窒化シリコン膜はウェット洗浄およびドライ洗浄の双方に耐性が大きくより好ましい。例えば、窒化シリコン膜を耐洗浄性保護膜とした場合には、耐洗浄性保護膜は５ｎｍ〜１０ｎｍ程度の範囲の膜厚で用いられる。膜厚が５ｎｍ未満では洗浄時の耐性に不十分であり、１０ｎｍを超えるとエッチング加工マスクとして微細パターン形成に好ましくないからである。
【００３９】
本発明において、光透過性基材１１の一主面を掘り込んで形成した凹凸パターンの凹部の深さは、被加工基板に転写形成するレジストパターンの所望するパターン厚さに依存するが、例えば、凹凸パターンの凹部の深さが４０ｎｍ〜１００ｎｍの範囲で用いられる。本発明において、主パターン部の凹凸部の凹部の深さと位置合わせマーク部の凹凸部の凹部の深さとは、同じであるのが好ましい。後述するように、本発明の位置合わせマークの凹部を主パターンの凹部と同時に形成する場合には、同じ深さとなる。
【００４０】
本発明において、位置合わせマークの形状としては特に制限はなく、被加工基板のアライメントマークに対応して、通常用いられる位置合わせマーク形状が適用できる。例えば、凹凸パターンの凹部のパターンを幅１μｍ〜１０μｍ、深さ４０ｎｍ〜１００ｎｍの十字形状とした十字マークなどを用いることができ、十字マークの凹部パターン周辺の透過性基材上に遮光膜と耐洗浄性保護膜の２層膜で形成した幅１μｍ〜１０μｍの遮光膜パターンを設け、凹部十字マークと遮光膜パターンとで位置合わせマークとすることができる。
【００４１】
本発明の位置合わせマークは、遮光膜上に耐洗浄性保護膜を設けて２層膜とすることにより、インリキッドアライメントにおいても十分にコントラストが高く、高精度の位置合わせが可能となり、インプリント用テンプレートの洗浄時に、位置合わせマークが膜減りして遮光性が低下することが無い洗浄耐性に優れた位置合わせマークが得られる。
【００４２】
（第２の実施形態）
図２は、本発明の第２の実施形態におけるインプリント用位置合わせマークを有するテンプレートの断面模式図である。図２において、インプリント用テンプレート２０は、光透過性基材２１の一主面を掘り込んで形成した凹凸パターンからなる被加工基板上の光硬化性材料に転写するための主パターン２２と、位置合わせマーク２３とから構成される。位置合わせマーク２３は、光透過性基材２１を掘り込んで形成した凹凸パターン部と、この凹凸パターン部の光透過性基材２１上に形成された遮光膜パターン２６とからなる。遮光膜パターン２６は遮光膜２４と遮光膜２４上に設けた耐洗浄性保護膜２５との２層膜で構成されており、位置合わせマーク２３の凹凸パターン部の凹部にも耐洗浄性保護膜２５が形成されているものである。
【００４３】
本実施形態において、光透過性基材２１、遮光膜パターン２６を構成する遮光膜２４および耐洗浄性保護膜２５は、実施形態１と同じ材料、膜厚で用いられるので、説明は省略する。また、位置合わせマークも実施形態１と同様な形状、寸法が用いられる。凹凸パターン部の凹部に設けられる耐洗浄性保護膜２５は、後述するように遮光膜２４上に設ける耐洗浄性保護膜２５と同じ成膜工程で形成することにより製造工程が簡略化されるので、遮光膜２４上に設ける耐洗浄性保護膜２５と同じ材料が好ましい。
【００４４】
本実施形態の位置合わせマークは、遮光膜上に耐洗浄性保護膜を設けて２層膜とすることにより、インリキッドアライメントにおいても十分にコントラストが高く、高精度の位置合わせが可能となり、インプリント用テンプレートの洗浄時に、位置合わせマークが膜減りして遮光性が低下することが無い洗浄耐性に優れた位置合わせマークが得られる。
【００４５】
さらに、本実施形態の位置合わせマークは、遮光膜をエッチングしパターン化した後に耐洗浄性保護膜を成膜して形成するので、パターン化された遮光膜の上面側のみならず側面も一定の厚さの耐洗浄性保護膜で覆われることになり（図示はしてない）、より洗浄耐性の大きい位置合わせマークとすることができる。
【００４６】
（第３の実施形態）
図３は、本発明の第３の実施形態におけるインプリント用位置合わせマークを有するテンプレートの断面模式図である。図３において、インプリント用テンプレート３０は、光透過性基材３１の一主面を掘り込んで形成した凹凸パターンからなる被加工基板上の光硬化性材料に転写するための主パターン３２と、位置合わせマーク３３とから構成される。位置合わせマーク３３は、光透過性基材３１を掘り込んで形成した凹凸パターン部と、この凹凸パターン部の光透過性基材３１上に形成された遮光膜パターン３６とからなる。遮光膜パターン３６は遮光膜３４と遮光膜３４上に設けた耐洗浄性保護膜３５との２層膜で構成されており、位置合わせマーク３３の凹凸パターン部の凹部および主パターン３２の凹凸パターンの凹部にも耐洗浄性保護膜３５が形成されているものである。
【００４７】
本実施形態において、光透過性基材３１、遮光膜パターン３６を構成する遮光膜３４および耐洗浄性保護膜３５は、実施形態１と同じ材料、膜厚で用いられるので、説明は省略する。また、位置合わせマークも実施形態１と同様な形状、寸法が用いられる。凹凸パターンのすべての凹部に設けられる耐洗浄性保護膜３５は、後述するように遮光膜３４上に設ける耐洗浄性保護膜３５と同じ成膜工程で形成することにより製造工程が簡略化されるので、遮光膜３４上に設ける耐洗浄性保護膜３５と同じ材料が好ましい。
【００４８】
本実施形態の位置合わせマークは、遮光膜上に耐洗浄性保護膜を設けて２層膜とすることにより、インリキッドアライメントにおいても十分にコントラストが高く、高精度の位置合わせが可能となり、インプリント用テンプレートの洗浄時に、位置合わせマークが膜減りして遮光性が低下することが無い洗浄耐性に優れた位置合わせマークが得られる。
【００４９】
さらに、本実施形態の位置合わせマークは、耐洗浄性保護膜が転写に使用される主パターンのすべての凹部に堆積されることにより、エッチング法により形成されて鋭角状になり易い凹部底面のコーナー部形状を緩和させ、インプリント時の樹脂の離型性を向上させる効果が得られる。
次に、上記の位置合わせマークを有するテンプレートの製造方法について説明する。
【００５０】
（第１の実施形態の製造方法）
図４は、図１に示した第１の実施形態の位置合わせマークを有する本発明のテンプレートの製造工程を示す断面模式図である。図４において、図１と同じ箇所を示す場合には同じ符号を用いている。
【００５１】
石英ガラスなどの光透過性基材１１の一主面上にクロムなどの遮光膜１４を成膜し、続いて耐洗浄性保護膜１５を成膜し２層膜とする（図４（ａ））。遮光膜１４および耐洗浄性保護膜１５の形成は、従来公知のスパッタリング法が適用できる。
【００５２】
次に、耐洗浄性保護膜１５上に第１の電子線レジストを塗布し、電子線描画し、現像して、主パターンと位置合わせパターンの第１のレジストパターン１８を形成する（図４（ｂ））。
【００５３】
次に、第１のレジストパターン１８をマスクとして、耐洗浄性保護膜１５、遮光膜１４、光透過性基材１１の順にドライエッチングし、光透過性基材１１に主パターン１２となる凹凸パターンと位置合わせマーク１３とする凹凸パターンを形成する（図４（ｃ））。
【００５４】
図４（ｃ）の凹凸パターン形成において、耐洗浄性保護膜１５がシリコン系薄膜の場合には、ＣＦ4 、ＣＨＦ3 、Ｃ2 Ｆ6あるいはＳＦ6、Ｃ4Ｆ8などのフッ素系ガス、あるいはこれらの混合ガス、あるいはこれらのガスに酸素を混合したガスをエッチングガスとして用いることによりドライエッチングを行い、パターン形成することができる。このとき、２層膜下層の遮光膜１４がクロム系薄膜ならば、フッ素系ガスに対して耐性があるので、上層の耐洗浄性保護膜１５のドライエッチング時のエッチング停止層の機能を有するものである。
【００５５】
遮光膜１４がクロム系薄膜の場合には、塩素（Ｃｌ2）と酸素の混合ガスをエッチングガスとして用いてドライエッチングし、耐洗浄性保護膜１５および光透過性基材１１に損傷を与えずにクロムパターンを形成することができる。塩素ガスは他の塩素系ガス、例えば、ＣＨＣｌ3、ＳｉＣｌ4、ＣＣl4などに替えて用いることもできる。
【００５６】
光透過性基材１１が石英ガラスの場合には、ＣＦ4 、ＣＨＦ3 、Ｃ2 Ｆ6あるいはＳＦ6、Ｃ4Ｆ8などのフッ素系ガス、あるいはこれらの混合ガス、あるいはこれらのガスに酸素を混合したガスをエッチングガスとして用いることによりドライエッチングを行い、凹凸パターンを形成することができる。
【００５７】
次に、第１のレジストパターン１８を剥離した後、第２の電子線レジストを塗布し、電子線描画し、現像して、位置合わせマーク用の第２のレジストパターン１９を形成する（図４（ｄ））。
【００５８】
次に、第１のレジストパターン１９をマスクとして、耐洗浄性保護膜１５、遮光膜１４の順にドライエッチングし、位置合わせマーク部以外の耐洗浄性保護膜および遮光膜を除去する（図４（ｅ））。
【００５９】
次いで、第２のレジストパターン１９を剥離して、凹凸パターンからなる主パターン１２と、位置合わせマーク１３とを有するテンプレート１０が得られる（図４（ｆ））。位置合わせマーク１３は、光透過性基材を掘り込んで形成した凹凸パターン部と、この凹凸パターン部の光透過性基材上に形成された遮光膜パターン部からなり、該遮光膜パターン部が遮光膜１４と耐洗浄性保護膜１５との２層膜で構成されている。
【００６０】
本実施形態の製造方法によれば、光透過性基材を掘り込んで形成した凹凸パターン部と、遮光膜と耐洗浄性保護膜との２層膜で構成される遮光膜パターン部とからなる位置合わせマークを備え、洗浄耐性の大きい高精度のテンプレートを作製することができる。
【００６１】
（第２の実施形態の製造方法）
図５は、図２に示した第２の実施形態の位置合わせマークを有する本発明のテンプレートの製造工程を示す断面模式図である。図５において、図２と同じ箇所を示す場合には同じ符号を用いている。
【００６２】
石英ガラスなどの光透過性基材２１の一主面上にクロムなどの遮光膜２４を成膜する（図５（ａ））。遮光膜２４の形成は、従来公知のスパッタリング法が適用できる。
【００６３】
次に、遮光膜２４上に第１の電子線レジストを塗布し、電子線描画し、現像して、主パターンと位置合わせパターンの第１のレジストパターン２８を形成する（図５（ｂ））。
【００６４】
次に、第１のレジストパターン２８をマスクとして、遮光膜２４、光透過性基材２１の順にドライエッチングし、光透過性基材２１に主パターン２２となる凹凸パターンと位置合わせマーク２３とする凹凸パターンを形成する（図５（ｃ））。
【００６５】
図５（ｃ）の凹凸パターン形成において、遮光膜２４がクロム系薄膜の場合には、塩素（Ｃｌ2）と酸素の混合ガスをエッチングガスとして用いてドライエッチングし、耐洗浄性保護膜２５および光透過性基材２１に損傷を与えずにクロムパターンを形成することができる。塩素ガスは他の塩素系ガス、例えば、ＣＨＣｌ3、ＳｉＣｌ4、ＣＣl4などに替えて用いることもできる。
【００６６】
光透過性基材２１が石英ガラスの場合には、ＣＦ4 、ＣＨＦ3 、Ｃ2 Ｆ6あるいはＳＦ6、Ｃ4Ｆ8などのフッ素系ガス、あるいはこれらの混合ガス、あるいはこれらのガスに酸素を混合したガスをエッチングガスとして用いることによりドライエッチングを行い、凹凸パターンを形成することができる。
【００６７】
次に、第１のレジストパターン２８を剥離した後、光透過性基材２１の凹凸パターンを形成した一主面側の全面に耐洗浄性保護膜２５を成膜する（図５（ｄ））。このとき、凹凸パターンの凹部にも耐洗浄性保護膜２５が形成される。耐洗浄性保護膜２５を成膜は、従来公知のスパッタリング法が用いられる。
【００６８】
次に、第２の電子線レジストを塗布し、電子線描画し、現像して、位置合わせマーク用の第２のレジストパターン２９を形成する（図５（ｅ））。
【００６９】
次に、第２のレジストパターン２９をマスクとして、位置合わせマーク部以外の不要となる耐洗浄性保護膜２５、遮光膜２４をドライエッチングして除去する（図５（ｆ））。
【００７０】
次いで、第２のレジストパターン２９を剥離して、凹凸パターンからなる主パターン２２と、位置合わせマーク２３とを有するテンプレート２０が得られる（図５（ｇ））。位置合わせマーク２３は、光透過性基材を掘り込んで形成した凹凸パターン部と、この凹凸パターン部の光透過性基材上に形成された遮光膜パターン部からなり、該遮光膜パターン部は遮光膜２４と耐洗浄性保護膜２５との２層膜で構成されている。位置合わせマーク２３の凹凸パターン部の凹部にも耐洗浄性保護膜２５が形成されている。
【００７１】
本実施形態の製造方法は、遮光膜のパターン化後に耐洗浄性保護膜を成膜する工程をとることにより、遮光膜パターンの側面部にも耐洗浄性保護膜を形成することができ、遮光膜パターンの露出部分をなくすことにより、洗浄耐性のより大きい位置合わせマークとすることができる。
【００７２】
（第３の実施形態の製造方法）
図６は、図３に示した第３の実施形態の位置合わせマークを有する本発明のテンプレートの製造工程を示す断面模式図である。図６において、図３と同じ箇所を示す場合には同じ符号を用いている。
【００７３】
石英ガラスなどの光透過性基材３１の一主面上にクロムなどの遮光膜３４を成膜する（図６（ａ））。遮光膜３４の形成は、従来公知のスパッタリング法が適用できる。
【００７４】
次に、遮光膜３４上に第１の電子線レジストを塗布し、電子線描画し、現像して、主パターンと位置合わせパターンの第１のレジストパターン３８を形成する（図６（ｂ））。
【００７５】
次に、第１のレジストパターン３８をマスクとして、遮光膜３４、光透過性基材３１の順にドライエッチングし、光透過性基材３１に主パターン３２となる凹凸パターンと位置合わせマーク３３とする凹凸パターンを形成する（図６（ｃ））。
【００７６】
図６（ｃ）の凹凸パターン形成において、遮光膜３４がクロム系薄膜の場合には、塩素（Ｃｌ2）と酸素の混合ガスをエッチングガスとして用いてドライエッチングし、耐洗浄性保護膜３５および光透過性基材３１に損傷を与えずにクロムパターンを形成することができる。塩素ガスは他の塩素系ガス、例えば、ＣＨＣｌ3、ＳｉＣｌ4、ＣＣl4などに替えて用いることもできる。
【００７７】
光透過性基材３１が石英ガラスの場合には、ＣＦ4 、ＣＨＦ3 、Ｃ2 Ｆ6あるいはＳＦ6、Ｃ4Ｆ8などのフッ素系ガス、あるいはこれらの混合ガス、あるいはこれらのガスに酸素を混合したガスをエッチングガスとして用いることによりドライエッチングを行い、凹凸パターンを形成することができる。
【００７８】
次に、第１のレジストパターン３８を剥離した後、光透過性基材３１の凹凸パターンを形成した一主面全面に耐洗浄性保護膜３５を成膜する（図６（ｄ））。このとき、凹凸パターンの凹部にも耐洗浄性保護膜３５が形成される。耐洗浄性保護膜３５を成膜は、従来公知のスパッタリング法が用いられる。
【００７９】
次に、第２の電子線レジストを塗布し、電子線描画し、現像して、位置合わせマーク３３用および主パターン３２用の第２のレジストパターン３９を形成する（図６（ｅ））。
【００８０】
次に、第２のレジストパターン３９をマスクとして、位置合わせマーク部および主パターン部の不要となる耐洗浄性保護膜３５、遮光膜３４をドライエッチングして除去する（図６（ｆ））。
【００８１】
次いで、第２のレジストパターン３９を剥離して、凹凸パターンからなる主パターン３２と、位置合わせマーク３３とを有するテンプレート３０が得られる（図６（ｇ））。位置合わせマーク３３は、光透過性基材を掘り込んで形成した凹凸パターン部と、この凹凸パターン部の光透過性基材上に形成された遮光膜パターン部からなり、該遮光膜パターン部は遮光膜３４と耐洗浄性保護膜３５との２層膜で構成されている。位置合わせマーク３３の凹凸パターン部の凹部、および主パターン３２の凹凸パターン部の凹部にも耐洗浄性保護膜３５が形成されている。
【００８２】
本実施形態の製造方法は、遮光膜のパターン化後に耐洗浄性保護膜を成膜する工程をとることにより、遮光膜パターンの側面部にも耐洗浄性保護膜を形成することができ、遮光膜パターンの露出部分をなくすことにより、洗浄耐性のより大きい位置合わせマークとすることができる。さらに、耐洗浄性保護膜が転写に使用される主パターンのすべての凹部に堆積されることにより、凹部底面のコーナー部形状を緩和させ、インプリント時の樹脂の離型性を向上させたテンプレートを製造することができる。また、保護膜のレジスト濡れ性や多孔質性等の性状をコントロールすることによりパターンへのレジストなじみを向上させることができる。これにより充填性を向上させたテンプレートを製造することも可能である。
【００８３】
（その他の実施形態の製造方法）
上記のテンプレートの製造方法において、第２のレジストパターン形成においては、電子線レジストによる電子線描画に替えて、感光性レジストによりレーザ描画する方法、あるいはインプリント法によりレジストパターンを形成する方法を用いることも可能である。インプリント法によれば、位置合わせマークの凹凸パターンの凹部にも十分にレジストが充填されるという効果が得られる。
【実施例】
【００８４】
石英ガラス上にスパッタリング法により遮光膜として窒化クロム膜を１０ｎｍの厚さに成膜し、続いて耐洗浄性保護膜として窒化シリコン膜を５ｎｍの厚さに成膜し２層膜とした。次に、窒化シリコン膜上に第１の電子線レジストを塗布し、電子線描画し、現像して、主パターンと位置合わせパターンの第１のレジストパターンを形成した。
【００８５】
次に、第１のレジストパターンをマスクとして、窒化シリコン膜をＣＦ4ガス、窒化クロム膜を塩素と酸素の混合ガス、石英ガラスをＣＦ4ガスで順次ドライエッチングし、石英ガラスに主パターン部となる凹凸パターンと位置合わせマークとする凹凸パターンを形成した。凹凸パターンの凹部の深さは、主パターンおよび位置合わせマークともに５０ｎｍ、主パターンは凹部の幅３０ｎｍ、ピッチ６０ｎｍの複数のラインアンドスペースパターン、位置合わせマークは凹部の幅２μｍの十字マーク形状とした。
【００８６】
次に、第１のレジストパターンを剥離した後、第２の電子線レジストを塗布し、電子線描画し、現像して、位置合わせマーク用の第２のレジストパターンを形成し、第２のレジストパターンをマスクとして、窒化シリコン膜をＣＦ4ガス、窒化クロム膜を塩素と酸素の混合ガスで順にドライエッチングし、位置合わせマーク部以外の窒化シリコン膜、窒化クロム膜を除去した。
【００８７】
次いで、第２のレジストパターンを剥離して、凹凸パターンからなる主パターンと、位置合わせマークとを有するテンプレートを作製した。本実施例のテンプレートの位置合わせマークは、石英ガラスを掘り込んで形成した凹凸パターン部と、この凹凸パターン部の石英ガラス上に形成された遮光膜パターン部からなり、該遮光膜パターン部が遮光膜としての窒化クロム膜と耐洗浄性保護膜としての窒化シリコン膜との２層膜で構成されているものである。
【００８８】
上記の実施例のテンプレートについて、複数のサンプル（評価サンプルＮｏ．１〜４）を用意し、下記の洗浄耐性の評価試験を行った。また、比較のために、位置合わせマークが従来のクロム膜（単層）のみから構成されるテンプレートを作製し、複数のサンプル（評価サンプルＮｏ．５〜７）を用意し、実施例と同一条件で洗浄耐性の評価試験を行った。比較例のテンプレートは、位置合わせマークが厚さ１０ｎｍのクロム膜（単層）で形成されている以外は、上記の実施例と同じ材料・構成とした。
【００８９】
洗浄耐性の評価試験は、次のＡ〜Ｃの３種類の洗浄条件について行った。アッシングには平行平板型のプラズマアッシング装置を用いた。
（Ａ）テンプレートを１５０℃に加熱し、酸素ガス雰囲気で５分間アッシングした後、遮光膜パターン部の膜厚変化量（％）を測定した。
（Ｂ）テンプレートを２５０℃に加熱し、酸素ガス雰囲気で５分間アッシングした後、遮光膜パターン部の膜厚変化量（％）を測定した。
（Ｃ）テンプレートをＳＰＭ（硫酸と過酸化水素水の混合液）でウェット洗浄した後、遮光膜パターン部の膜厚変化量（％）を測定した。
膜厚変化量は、洗浄耐性の評価試験前の遮光膜パターン部の耐洗浄性保護膜の初期膜厚と洗浄試験後の膜厚を原子間力顕微鏡にて測定し、変化量（膜厚減少率）として算出した。
評価試験結果を表１に示す。
【００９０】
【表１】
0005831012.tif 000002
【００９１】
表１の実施例の評価サンプルＮｏ．１〜４に示されるように、実施例の窒化クロム膜と窒化シリコン膜との２層膜からなるテンプレート評価サンプルは、酸素ガスによるアッシング（ドライ洗浄）に対し、またＳＰＭによるウェット洗浄に対し、膜厚変化量（膜厚減少率）は数％以内であり、いずれも大きな洗浄耐性を示した。
一方、表１の比較例の評価サンプルＮｏ．５〜７に示されるように、従来のクロム単層膜からなるテンプレート評価サンプルは、酸素ガスによるアッシングでクロム膜がほとんど消滅するほどの損傷を生じてしまった。また、ＳＰＭによるウェット洗浄でもクロム膜濃度が低下した。
【００９２】
上記の試験結果より、石英ガラスを掘り込んで形成した凹凸パターン部と、この凹凸パターン部の石英ガラス上に形成された遮光膜パターン部からなり、該遮光膜パターン部が遮光膜としての窒化クロム膜と耐洗浄性保護膜としての窒化シリコン膜との２層膜で構成されている本発明のテンプレートの位置合わせマークの優れた洗浄耐性が確認された。
【符号の説明】
【００９３】
１０、２０、３０  テンプレート
１１、２１、３１  光透過性基材
１２、２２、３２  主パターン
１３、２３、３３  位置合わせマーク
１４、２４、３４  遮光膜
１５、２５、３５  耐洗浄性保護膜
１６、２６、３６  遮光膜パターン
１８、２８、３８  第１のレジストパターン
１９、２９、３９  第２のレジストパターン
７０、８０  テンプレート
７２、８２  主パターン
７３、８３  位置合わせマーク
７５  ウェハ
７６  ウェハアライメントマーク
７７  樹脂
８１  石英ガラス
８４  遮光性薄膜
８８、８９  レジストパターン
９１  転写パターン
９２  樹脂残り
９３  欠陥
【図１】
0005831012.tif 000003
【図２】
0005831012.tif 000004
【図３】
0005831012.tif 000005
【図４】
0005831012.tif 000006
【図５】
0005831012.tif 000007
【図６】
0005831012.tif 000008
【図７】
0005831012.tif 000009
【図８】
0005831012.tif 000010
【図９】
0005831012.tif 000011